(57)【要約】  本発明は、濾過式呼吸用保護面体に着脱可能な一体成形体のフィルタ要素連結部を提供する。また、周辺環境を見るレンズの部分的なくもりを防ぐ吸入弁がなく、レンズ及び鼻カップに着脱可能な構成ハウジングを有する。
2005514963.tif 000002
【特許請求の範囲】
【請求項１】
ユーザが周辺環境を見るレンズと、
介在する逆止弁なしに呼吸器用面体の内側に開口する少なくとも１つの吸気通路を有する鼻カップとを備え、
吸気通路は、レンズの視界領域上に空気を循環させることを特徴とする呼吸器用面体。
【請求項２】
レンズに形成された少なくとも１つの吸気口と、吸気口を通じて呼吸器用面体に流入する空気の流れを偏向する偏向体とを備える請求項１に記載の呼吸器用面体。
【請求項３】
偏向体は、レンズの内面に隣接して配置される少なくとも１つの開口部を有するフランジを備え、フランジは、レンズの視界領域上に空気の流れを導く請求項２に記載の呼吸器用面体。
【請求項４】
レンズの視界領域の下方に吸気通路を形成し、吸気通路を流出する呼気をレンズの視界領域の下方に導く請求項２に記載の呼吸器用面体。
【請求項５】
鼻カップの前部に吸気通路を形成した請求項４に記載の呼吸器用面体。
【請求項６】
偏向体は、呼吸器用面体の吸気口より高く鼻カップの吸気通路より低い位置でレンズの内面に隣接する請求項５に記載の呼吸器用面体。
【請求項７】
傾斜して配置された吸気通路は、レンズの視界領域から離間する下方向に呼気を導く請求項２に記載の呼吸器用面体。
【請求項８】
呼吸器用面体を着用するとき、吸気通路は使用者の目の高さより低い位置に配置される請求項２に記載の呼吸器用面体。
【請求項９】
使用者が周辺環境を見るレンズと、
レンズに形成された少なくとも１つの吸気口と、  後部フランジと、後部フランジの前方に配置された可撓性のタブとを有する重合材料の一体部品により形成されかつ呼吸器用面体に装着できるフィルタ要素連結部とを備え、
フィルタ要素連結部の前部が吸気口を通過するとき、可撓性のタブは内側に変形すると共に、レンズの前面上を通過し乗り越えると、外側に変形して、吸気口に対し接続状態に連結部を保持し、後部フランジは、レンズの内面に当接し、可撓性タブは、レンズの外面に当接することを特徴とする呼吸器用面体。
【請求項１０】
フィルタ要素連結部は、フィルタ要素を装着する差込ソケット式連結構造を前端に有する請求項９に記載の呼吸器用面体。
【請求項１１】
差込ソケット式連結構造は、複数の離間したフランジを有する請求項１０に記載の呼吸器用面体。
【請求項１２】
差込ソケット式連結構造に一方向からのみフィルタ要素を装着できる請求項１１に記載の呼吸器用面体。
【請求項１３】
フィルタ要素連結部は、フィルタ要素を装着するねじ連結部を前端に有する請求項９に記載の呼吸器用面体。
【請求項１４】
使用者が周辺環境を見るレンズと、
レンズの下部に形成されかつ前方延伸壁部を有する少なくとも１つの開口と、
呼吸器用構成ハウジングを開口内に装着すると、前方延伸壁部の内壁と密封構造を形成する密封体を外周縁に有する呼吸器用構成ハウジングとを備えたことを特徴とする呼吸器用面体。
【請求項１５】
密封体を装着する溝を呼吸器用構成ハウジングの周縁部に形成した請求項１４に記載の呼吸器用面体。
【請求項１６】
呼吸器用構成ハウジングを開口内に装着すると、前方延伸壁部の前面の前方に配置される少なくとも１つのフランジを呼吸器用構成ハウジングに設け、前方延伸壁部のとフランジとの間に装着される保持具を呼吸器用面体に設け、保持具により開口内に呼吸器用構成ハウジングを保持する請求項１４に記載の呼吸器用面体。
【請求項１７】
ほぼＵ字形状の保持具は、呼吸器用構成ハウジングの一部を包囲する請求項１６に記載の呼吸器用面体。
【請求項１８】
呼吸器用構成ハウジングは、呼気口と、呼気口上に形成された逆止弁とを備え、呼吸器用面体を着用すると、呼気口は使用者の口に近接して配置され、逆止弁を通じて使用者の声を伝達できる請求項１３に記載の呼吸器用面体。
【請求項１９】
吸気口と、吸気口上に配置される逆止弁と、吸気口にフィルタ要素を流体連絡させるフィルタ要素連結部とを備える請求項１８に記載の呼吸器用面体。
【発明の詳細な説明】
【呼吸器用面体の関連出願の相互参照】
【０００１】
本願は、２００１年５月１１日出願の米国仮特許出願６０,２９０,５１３号の利益を要求し、その開示は引用により本明細書中に包含されるものとする。
【背景技術】
【０００２】
本発明は、広く呼吸器用面体、特に、有毒物質が存在する可能性のある環境で使用する全面形面体に属する。
【０００３】
全面形面体である濾過式呼吸用保護具は、一般にフェイスマスクと、フェイスマスクを使用者に固定する頭部ベルトとを備える。例えば、下記特許文献１を参照されたい。使用者の顔に装着される代表的なフェイスマスクは、使用者が周辺環境を見るレンズを有する。また、フェイスマスクは、１つ又は２つ以上のフィルタ要素（例えば化学物質及び微粒子を濾過するキャニスタ（ガス吸収装置）又はカートリッジ）に流体連絡されてフェイスマスクへの吸気が通過する１又は２以上の吸気口と、マスクの外部に排出する呼気が通過する呼気口とを備える。
【０００４】
代表的な鼻カップは、使用者の鼻及び口の領域の周囲に装着され、フェイスマスクの内外への空気流を導く。例えば、鼻カップは、呼気を呼気口に導いて、充満する二酸化炭素を低減し、水分の多い呼気によるフェイスマスクレンズに発生する「くもり」を防止する。現状市販の呼吸器では、鼻カップは、吸気を鼻カップ内に流入させるが、鼻カップを通過する呼気がレンズに接触するのを阻止する１又は２以上の逆止弁を有する。前記逆止弁は、呼吸器の製造、組立及び保守を複雑化することがある。
【０００５】
フィルタキャニスタ、フィルタカートリッジ又は他のフィルタ要素等の１又は２以上の空気浄化フィルタを、フェイスマスクの吸気口の一部分として、フェイスマスクに取り付けられた連結部又はインタフェースに着脱自在に装着できる（ねじ連結又は差込ソケット式連結構造等により）のが一般的である。多くの現行のフェイスマスクでは、フェイスマスクの残部とは別に多部材からなるフィルタ要素連結部を製造し、その後、協同するねじ連結部材等によりフェイスマスクに装着される。フィルタ要素連結部も接着剤又は高分子溶接結合によりフェイスマスクに装着できる。現行のフィルタ要素連結部をフェイスマスクに取り付ける方法は、フェイスマスクの製造、組立及び保守を複雑にするのが一般的である。
【０００６】
従って、現行の市販のフェイスマスクの前記及び他の問題点を制限し好ましくは除去するフェイスマスク及びその構成部材を開発することが望ましい。
【特許文献１】米国特許第５,９２４,４２０号
【発明の開示】
【課題を解決するための手段】
【０００７】
本発明の一実施の形態では、本発明は、使用者が周辺環境を見るレンズを有する濾過式呼吸用保護具に使用する面体及び鼻カップを提供する。鼻カップは、介在する逆止弁がなく呼吸器用面体の内部に開口する少なくとも１つの吸気通路を含む。レンズの内面上、特にレンズの視界領域上を空気が循環するように吸気通路を形成することが好ましい。
【０００８】
また、呼吸器用面体の吸気口を通じて呼吸器用面体に流入する空気流を導く少なくとも１つの吸気口と少なくとも１つの偏向体とを呼吸器用面体に設けることが好ましい。レンズの内面に隣接して配置された少なくとも１つの開口部を有するフランジを偏向体に設けて、レンズの内面を覆う空気流を導くことが好ましい。呼吸器用面体の吸気口より高く、鼻カップの吸気通路のより低い位置で呼吸器用レンズの内面に偏向体を接触させてもよい。
【０００９】
レンズの視界領域より下方に鼻カップの吸気通路を形成して、吸気通路から排出される呼気をレンズの視界領域より下方に偏向することが好ましい。また、鼻カップの前部に配置した吸気通路により、呼吸器用面体のレンズの内面上に空気流を導くことができる。また、鼻カップ内に傾斜して形成した吸気通路により、レンズの視界領域から離間して下方に呼気を導くことができる。呼吸器用面体を着用したとき、使用者の目より実質的に下方に吸気通路を配置して、使用中にレンズの視界領域のくもりを防止することが好ましい。
【００１０】
本発明の他の実施の形態では、使用者が周辺環境を見るレンズと、レンズに形成された少なくとも１つの吸気口と、面体に取り付け可能なフィルタ要素連結部とを含む呼吸器用面体を提供する。重合材料の一体部品により形成した連結部をレンズに着脱自在に接続できることが好ましい。例えば、連結部は、後部フランジと、後部フランジの前部に形成された可撓性タブとを含んでもよい。連結部の前部が吸気口を通過すると（半径方向）内側に変形し、レンズの前面上を通過すると外側に変形する可撓性のタブにより、連結部を吸気口に連結する状態に保持する。その点では、後部フランジはレンズの内面に当接し、可撓性タブはレンズの外面に当接する。例えば、連結部は、フィルタ要素を装着する差込ソケット式連結構造部を前端に備えることができる。差込ソケット式連結構造部は、互いに離間する複数のフランジを有する。単一の方向でのみフィルタ要素を差込ソケット式連結構造に装着できる。別法では、フィルタ要素を装着するねじ連結部を前端上に設けることができる。
【００１１】
本発明の更に他の実施の形態では、使用者が周辺環境を見るレンズ部と、前方に延伸する突出壁部と共にレンズに形成された少なくとも１つの開口と、周縁部に密封体を有する呼吸器を構成するハウジングとを備え、呼吸器を構成するハウジングは、開口に装着したとき突出壁部の内壁と密封構造を形成する呼吸器用面体を提供する。例えば、密封体（例えばＯリング）を装着する溝が構成ハウジングの外周縁に形成される。
【００１２】
呼吸器面体は、構成ハウジングを開口に装着するとき、壁部の前面に配置される少なくとも１つのフランジと、壁部の前面とフランジとの間に取り付けられかつ開口内に構成ハウジングを保持する保持具とを備える。例えば、構成ハウジングの一部分を包含するほぼＵ字状に保持具を形成してもよい。
【００１３】
構成ハウジングは、呼気口と、呼気口上に配置される逆止弁とを含んでもよい。呼吸器用面体を着用するとき、使用者の口付近に呼気口を配置し、逆止弁を通じて使用者の声を伝達できることが好ましい。更に、構成ハウジングは、吸気口と、吸気口上に配置される逆止弁と、フィルタ要素を吸気口に流体連絡する連結部とを備える。
【００１４】
添付図面と共に以下の詳細な説明を考慮すれば、本発明の特徴及び効果を最も良く認識でき理解できよう。
【発明を実施するための最良の形態】
【００１５】
図１Ａ〜図１Ｃ及び図９Ａ〜図９Ｅは、２つのフィルタ要素（例えばフィルタキャニスタ（ガス吸収装置）又はフィルタカートリッジ）を両側に取り付け可能な本発明による全面形面体呼吸器用マスク10の一実施の形態を例示する。図２Ａ〜図２Ｃは、１つのフィルタ要素をほぼ中心に取り付けられる本発明による全面形面体呼吸器用マスク10'の他の実施の形態を例示する。
【００１６】
図１Ａ〜図１Ｃ及び図９Ａ〜図９Ｅの実施の形態に戻って、呼吸器用マスク10は、使用者の顔の周囲を密閉する後方開口部30を有する面体本体20（シリコンゴム等から製造）を備える。一般に、後方開口部30は、使用者の顎領域の周囲を密封する顎カップ部32と、使用者の顔の両側の周囲を密閉する側部34と、使用者の額の周囲を密閉する額部36（図９Ｃ等）とを備える。また、面体本体20は、呼吸器用マスク10のレンズ50に対する密封構造を形成する前方開口部又はリム40を備える。例えば、（ネジ等の留め具により）共に連結できる上部リム又は上部リング部材60と、下部リム又は下部リング部材70とを有する外縁のリム又はリングにより、面体本体20をレンズ50に気密に取り付けることができる。上部リム60及び下部リム70は、面体本体20のリム40とレンズ50のリム52とを包囲し、密封及び接合状態を保持する（例えば図１Ｂ）。
【００１７】
例えば、使用者の頭部を包囲するのに調節可能なベルト部600を呼吸器用マスク10に取り付けて、ベルト部600により呼吸器の面体本体20と使用者の顔面との係合状態を気密に保持できる（例えば図１Ｂ）。図１Ａ及び図１Ｃに示す実施の形態では、ベルト部600は、上部リム60に取り付け又は形成されるクリップ620に対し、バックル630等を介して連結する上部ストラップ（上部帯体）610を備えている。面体本体20の後方延長部670に形成され又は取り付けられる延長フランジ又はボタン660に下部ストラップ（下部帯体）650を連結できる。
【００１８】
レンズ50は、使用者が周辺環境を見る上側レンズ部80と、後述のように呼吸／フィルタ構成要素を取り付けられる下側通気部90とを備える。本発明の一実施の形態では、光学的品質の透明なポリカーボネートにより上側レンズ部80と下側通気部90の各々を一体に形成できる。図１Ａ〜図１Ｃの実施の形態では、下側通気部90は、ほぼ中央の口又は開口部100と、両側の開口部又は吸気口110とを備える。開口100は、下側通気部90の残部から前方に延伸する突出壁部120の前端に形成される。
【００１９】
呼吸器を構成するハウジング200を突出壁部120の前方に着脱自在に取り付けることができる。その点では、ハウジング200は、突出壁部120の内壁に気密に係合、嵌合又は連結する密封構造を形成する外周部を有する。例えば、封止部材（例えば標準的なＯリング220）を装着する環状凹部又は溝210をハウジング200の縁周囲に形成できる。また、例えば、突出壁部120との密封連結を形成するのに適する重合材料により、密封構造をハウジング200の外周部に一体に形成することもできる。（Ｏリング220を溝210に装着した）ハウジング200を後方から突出壁部120に挿入するとき、突出壁部120の内壁にハウジング200を気密に係合、嵌合又は連結する構造にハウジング200とＯリング220とを形成できる。呼吸器用マスクに使用する多くの現在市販のハウジングは、（例えば互いに協同ねじ切工程を行うため、多くを円形に形成しなければならない）形状の制限があるのに対し、本発明では、実質的にあらゆる形状の対応開口部に気密に取り付けられるほぼあらゆる形状にハウジング200を形成できる。例えば、本発明では、装着するフィルタカートリッジを適切に取り付けることにより、呼吸器用マスク10の使用者の視界が最適化する形状にハウジング200を形成できる。
【００２０】
ハウジング200を突出壁部120に装着した後、保持クリップ230等の保持具をハウジング200に取り付けて、突出壁部120内の適切な位置にハウジング200を保持できる。図１Ａ〜図１Ｃに示す実施の形態では、可撓性又は弾力性を有する重合材料により保持クリップ230を形成して、ハウジング200に対し保持クリップ230をスナップ嵌合で取り付けることができる。スナップ嵌合構造では、ほぼＵ字形状に形成した保持クリップ230をハウジング200の周囲で上方から摺動させ、ハウジング200の１又は２以上のフランジ240,250及び260と突出壁部120の前面130との間に形成された間隙に保持クリップ230を装着できる。保持クリップ230の延伸アーム232a及び232bの一方又は両方を手で広げ、ハウジング200と連結した保持クリップ230を外方に摺動させることにより、突出壁部120との連結からハウジング200を容易に除去できる。その後、ハウジング200を後方に押して、Ｏリング220と突出壁部120の内壁との密封係合を分離できる。
【００２１】
また、ハウジング200は、後方に延伸するフラップ弁280のタブ282（図１Ｂ等）を介して弾性体のフラップ弁280（公知であるが）を取り付けた呼気口270と、呼気口270内のほぼ中央に形成された通路272とを備える。呼吸器用マスク10の使用者による呼気時に、フラップ弁280は極めて容易に開放するが、吸気の際には閉鎖して、吸気による呼気口270の通過を防止する。呼気が容易に通過し、使用者の会話を容易に伝達しかつ理解できるように、使用者の口のほぼ正面に呼気口270を直に形成することが好ましい。その点、呼気口270のフラップ弁280を通じて、比較的十分に音波を伝達できる。現行の呼吸器用マスク又は面体では、KAPTONS（登録商標）（ポリイミド）ダイアフラム又は非常に薄い樹脂片が面体又はハウジング200内に伝声体として用いられる。使用者のほぼ正面に配置した呼気口を通じて使用者の声を伝達する構造により、製造工程を単純化し、性能を犠牲にせずにコストを抑えることができる。図１Ａ〜図１Ｃに示す実施の形態では、ハウジング200の穴内に呼気口270を形成して、呼気口270を通じて伝達される使用者の声の共鳴作用を改善できる。例えば、ポリカーボネート、ポリエステル又は好ましくはポリカーボネート／ポリエステル混合物等の重合材料から一体部品としてハウジング200を射出成型できる。
【００２２】
また、呼吸器用マスク10は、まず、ハウジング200の上端のタブ290をカバー300の上端の通路310に通し、次に後方に向かう力をカバー300の下端（例えばフランジ320）に加えることにより、ハウジング200に装着できるハウジングカバー300を備え、ハウジングカバー300の下端に形成された通路330（図１Ｂ等）と、保持具230の下端から延伸するタブ292（図１Ｂ等）との組み合わせにより、ハウジングカバー300とハウジング200との間にスナップ嵌合構造が形成される。例えば、ポリカーボネート、ポリエステル又は好ましくはポリカーボネート／ポリエステル混合物等の弾性重合材料からハウジングカバー300を一体部品として射出成型できる。ハウジング200との連結からハウジングカバー300を取り外すため、使用者は、ハウジングカバー300の各側の領域340を圧縮し、ハウジングカバー300を変形させて、通路330からタブ292を取り外すことができる。呼気口270から呼気及び声を通過させる通気口340がハウジングカバー300に設けられる。
【００２３】
また、呼吸器用マスク10は、吸気口110を介してレンズ50に着脱自在に連結されることが好ましい差込ソケット式の突起を形成する連結部400のような１又は２以上の連結部を備える。図１Ａ〜図１Ｃに差込ソケット式の連結部として連結部400を例示するが、当業者は、ねじ連結部等の他の連結構造（即ち連結部400の前部にねじ部を備え、ねじ形成されたフィルタ要素に相補的に連結する連結部）を使用できることを理解できよう。フィルタ要素の連結部400を使用して、公知のカートリッジ又はキャニスタ等のフィルタ要素を装着できる。例えば、吸気口110の周縁部に形成されるスロット112と、連結部400の周囲に形成される可撓性の板ばね又は接合タブ410（図３Ａ〜図３Ｃ等）との組み合わせ構造によりレンズ50に連結部400を着脱自在に接続できる。タブ410をスロット112に整合させて後方から連結部400を吸気口110内に押し込んで、顔面レンズ50に連結部400を取り付けことができる。タブ410の傾斜面412は、スロット112の半径方向外側の縁部に接触して、自身の弾力に抗してタブ410が半径方向内側に湾曲する。タブ410がスロット112の前端を通過すると、タブ410は自身の弾力で半径方向外側に変形、即ち復帰し、スロット112に形成された突起114に当接する（図３Ｃ）。連結部400の後部フランジ420と吸気口110の領域内のレンズ壁116とが当接すると共に、タブ410とスロット112の突起114とが当接することにより、レンズ50と連結する連結部400を保持できる。
【００２４】
吸気口110内の所定の回転位置に差込ソケット式の連結部を整合させて、呼吸器用マスク10の使用者の視界を妨げない方法により、形状及び大きさを変更できるカートリッジ（図示せず）を連結することが好ましい。例えば、吸気口110の縁の周縁部に形成した特殊形状の溝118と整合する標識タブ又はフランジ430を連結部400に設け、吸気口110内の適切な位置に連結部400を配置できる。公知の差込ソケット式連結によりカートリッジ又はキャニスタに接続されるフランジ440a,440b及び440c等の複数のフランジに連結部400を設ける。１又は２以上のフランジ440a,440b及び440cは、所望の方向でのみカートリッジ又はキャニスタを連結できる独特の大きさ及び形状を有する。本実施の形態では、フランジ440aは独特の形状及び又は大きさを有する。
【００２５】
カートリッジとレンズ50の前面との間に密封構造を形成するのに役立つ公知のガスケット450を装着できる。この場合、カートリッジを連結部400に接続するとき、ガスケット450は、カートリッジとレンズ50との間で圧縮される。
【００２６】
１個又は２個以上の連結部400の中心に形成される流路460を通じて、使用者の吸気の際に、装着したカートリッジから吸引される空気をレンズ50の吸気口110を通じ呼吸器用マスク10に移送する。流路460の後端を覆って配置され弾性を有するフラップ弁480等の一方向逆止弁は、流路460を通じてレンズ50内に吸気を供給するが、流路460を通じてレンズ50から呼気が排出されるのを防止する。例えば、弾性を有する逆止弁480のほぼ中央に形成される通路482を嵌合する後方フランジ470を介して、差込ソケット式の連結部400に逆止弁480を取り付けることができる。
【００２７】
半径方向内側にタブ410を窄めて、吸気口110から連結部400を後方に押圧することにより、連結部400を離脱可能に構成することが好ましい。例えば破損した差込ソケット式連結部80を容易に交換できる。連結部を呼吸器用マスクに固着し又は溶着（超音波溶接結合等の重合体の溶融結合）する現行の市販の呼吸器用マスクでは、このような交換は不可能である。また、連結部を呼吸器用マスク（例えばそのレンズ）に固着し又は溶接する場合、連結部の材料と連結部を固着し又は溶接する呼吸器用マスクの構成部材の材料は、連結部の材料の選択を大きく制限することにはなるが、同一か又は近似する親和性を有しなければならない。しかしながら、本発明では、このような材料の親和性は要求されず、非常に強くかつ耐久性の高い材料を連結部400に選択できる。フィルタ要素連結部を着脱できる現状市販の他の呼吸器用マスクでは、２個又はそれ以上の相補的な部分又は構成部品によりこの種の着脱可能な連結部を製造するため、複雑な製造工程、余計な時間及びコストを生ずるのに対し、本発明では、例えばポリプロピレン、ナイロン又は好ましくはガラス充填ナイロン等の重合材料の一体部品から連結部400を射出成型できる。
【００２８】
また、呼吸器用マスク10は、呼吸器用マスク10の内部又は外部に流れる空気を導くのに役立つ鼻カップ500（図１Ａ〜図１Ｃ及び図４Ａ〜図４Ｄ等）を備える。例えば、熱可塑性エラストマー（例えばサノプレン（SANOPRENE）、バーサフレックス、VERSAFLEX（登録商標）又はクラトン、KRATON（登録商標）等の弾性重合材料から鼻カップ500を形成できる。前記のように構成要素のハウジング200をレンズ50に連結する前に、例えば、ハウジング200の上方後部のフランジ296の周囲で鼻カップ500の前部呼気口又は開口部510を拡張し又は引き伸ばし、開口510を呼気口270に後方から装着するにより、鼻カップ500をハウジング200に取り付けることができる。別法として、ハウジング200をレンズ50に連結した後、鼻カップ500をハウジング200に取り付けてもよい。
【００２９】
呼吸器用マスク10を着用するとき、鼻カップ500の上方後部縁の周辺部に形成される後部フラップ520は、使用者の鼻部と接触しかつ鼻部全体を包囲する。また、後部フラップ又はフランジ520は面体本体20と接触する。例えば図１Ｂに示すように、鼻カップ500の下部の顎部は、面体本体20の顎部32の下方を延伸する。鼻カップ500の下部の偏向部又はフランジ530は、レンズ50の下部90の内面に接触することが好ましい。吸入の間に、吸気口１10を通じて（即ち差込ソケット式連結部400に連結されたフィルタカートリッジを通じて）空気が吸引される。吸入時に、逆止弁480が開弁し、逆止弁280が閉弁する。フランジ又は偏向部530は、偏向部530に形成された偏向開口部540及び鼻カップ500に形成された吸気開口部550を通じて、レンズ50の内壁内の吸気を導く。
【００３０】
呼気の間に、（閉鎖された吸入逆止弁480により部分的に生じる）呼吸器用マスク10内の正圧により、水分負荷の高い呼気が吸気開口部550を通過することをほぼ阻止し、殆どの呼気は、開放された呼気逆止弁280及び呼気口270を通過する。例えば、使用者の目下でかつレンズ部80の視界領域の下方に吸気開口部550を設けると、呼気が吸気開口部550を通過すれば、レンズ部80の視界領域の下方に少量だけレンズ50のくもりが発生することもある。例えば、図４Ｄに示すように、レンズ部80の視界領域から離間して吸気開口部550を通じて下方に呼気を偏向するように、吸気開口部550を傾斜させて又は下方に向けて形成することができる。従って、使用者の視界を妨げるくもりは、呼吸器用マスク10に発生しない。呼吸器用マスク内に二酸化炭素が充満するのを防止し、呼気が呼吸器用マスクのレンズに接触してくもりを発生するのを防止するため、現在市販の呼吸器用マスクに用いる比較的多くの鼻カップは、鼻カップの上部又は他の位置に吸気開口部を設けると共に、逆止弁を必要とする。本発明による呼吸器用マスク10には前記逆止弁は不要である。また、レンズ部80の視界領域から離間してごく僅かなくもりが発生しても、これは、吸気開口部550付近に起こり、整流開口部540及び吸気開口部550により偏向されるので、次の呼吸時に吸入しレンズ50の内面上を通過する空気により迅速に除去される。また、レンズ50の内面上に流れる空気の循環により、呼吸器用マスク10内の二酸化炭素の充満を防止できる。
【００３１】
例えば、レンズ50の内面に対してほぼ対向しかつほぼ接近する適正な位置に吸気開口部550を配置することにより、レンズ50の内面上に空気が循環することが好ましい。また、レンズ50の内面から後方にあまり遠くに離間して延伸させずに偏向開口部540をレンズ50の内面に隣接して配置し、偏向開口部540を通過する空気をレンズ50の内面上、特にレンズ上部80の内面上に循環させることが好ましい。本発明者等の発見は、驚くべきことに、逆止弁を介在させずに、呼吸器用マスクの内側に開放する吸気開口部又は開口を有する鼻カップを使用して、レンズのくもり及び二酸化炭素の充満を防止でき利点がある。
【００３２】
例えば、鼻カップ500は、強度を高めて形状を保持する多数のビード若しくは隆起部560又は他の構造上の特徴を備える。また、隆起部560を拡大し／収縮し又は伸縮させることにより特定の鼻カップ500のサイズ範囲を増加させ、使用者のサイズ範囲に鼻カップ500を適合させることができる。
【００３３】
本発明による呼吸器用マスク10'の他又は別の実施の形態を図２Ａ〜図２Ｃに示す。呼吸器用マスク10'の多くの構成要素は、呼吸器用マスク10の構成要素とほぼ同一であり、前記符号と同一符号により同一の構成要素を示す。変更度に応じて修正した他の構成要素も、表示「'」を付与する同一符号で示す。前述のように、呼吸器用マスク10'と呼吸器用マスク10との主要な差異は、後述のように構成ハウジング200'内に形成した吸気口及び呼気口に協同するほぼ中央の単一の開口を呼吸器用マスク10'に設けた点である。
【００３４】
呼吸器用マスク10'は、使用者の顔面周囲を密封する前記面体本体20を備える。図２Ａ及び図２Ｂは、呼吸器用マスク10'に取り付けたベルト部600を示す。図２Ｃは、面体本体20及び上部リング部材60に連結される他のベルト部700（呼吸器用マスク10又は10'の何れにも使用可能）を示す。
【００３５】
前記の通り、面体本体20の前方開口部又はリム40は、呼吸器用マスク10'のレンズ50'に対して密閉構造（シール構造）を形成する。上部リム60及び下部リム70は、面体本体20のリム40及びレンズ50'のリム52'を包囲し密封及び接合状態を保持する（図２Ｂ等）。
【００３６】
レンズ50について記載したように、レンズ50'は、使用者が周辺環境を見るレンズ上部80と、前記呼吸／濾過構成要素を装着できる下側通気部90'とを備える。レンズ上部80'及び下側通気部90'は、光学的品質の透明なポリカーボネートにより一体に形成される。図２Ａ〜２Ｃの実施の形態では、下側通気部90'は、ハウジング200'を連結する単一のほぼ中央の開口又は開口部100'を備える。レンズ50の吸気口110をレンズ50'に形成しないことを除き、レンズ50とレンズ50'は、全体的に非常に類似する型を使用して形成される。その点では、レンズ50に吸気口110を形成する部分に、中実部又は素材110'をレンズ50'に形成する。
【００３７】
ハウジング200について記載したように、開口100の前方突出壁部120'に呼吸器構成ハウジング200'を着脱自在に取り付けることができる。その点では、標準のＯリング220等の封止部材を装着できるチャネル又は溝210をハウジング200'の周縁部に形成できる。（溝210'にＯリング220を装着した）ハウジング200'を後方から突出壁部120'内に挿入すると、Ｏリング220と前方突出壁部120'の内壁とが気密に係合、連結又は嵌合する大きさにハウジング200'とＯリング220とを設定する。ハウジング200'を突出壁部120'に取り付けた後、保持クリップ230をハウジング200に取り付けて、突出壁部120'内の適正な位置にハウジング200'を保持できる。
【００３８】
また前記のように、弾性を有するフラップ弁280を連結する呼気口270'をハウジング200'に設けることもできる。更に、ハウジング200'は、フィルタカートリッジ800のねじ部810と螺合して、カートリッジ800と吸気口274'とを連結するねじ部276'を内面に形成した吸気口274'を備えている。また、公知の他の連結形式（例えば前記差込ソケット式連結）を使用して、フィルタカートリッジを取り付けることもできる。前記のように、ハウジングカバー300をハウジング200'に取り付けて、通気孔340を呼気口270に流体連絡し、開口部350を吸気口274'と流体連絡させる。
【００３９】
例えば、ハウジング200とほぼ同一の方法及び同一の形状で重合材料からハウジング200'を射出成型できる。しかしながら、ハウジング200では、吸気口274'の領域に中実素材274を設けるのに対して、ハウジング200'では、ねじを形成した吸気口274'を形成する（図１Ａ〜図１Ｃ、図２Ａ〜図２Ｃ、図５Ａ及び図５Ｂ並びに図６Ａ及び図６Ｂを比較のため参照されたい）。
【００４０】
同様に、例えば、ほぼ同一の全体の形状及び同一の全体寸法を有するレンズ50とレンズ50'とを同一の方法により、重合材料（透明なポリカーボネート等）から射出成型することもできる（図７Ａ及び図８等）。前記の通り、レンズ50に吸気口110を形成するが、レンズ50'には同一の領域に中実素材110'が設けられる。別法では、レンズ50とレンズ50'との形状及び大きさはほぼ同一である。類似の型及び多数の交換可能な構成要素を用いて呼吸器用マスク10及び10'の構成要素を製造すれば、実質的に異なる設計と比べて、製造コストを低減できる。
【００４１】
前記説明及び添付図面は、本発明の現在の好適な実施の形態を記載する。勿論、前述の教示を考慮すれば、本発明の範囲から逸脱しない種々の変更態様、付加及び代替設計が当業者に明らかとなろう。前記詳細な説明よりむしろ以下の特許請求の範囲によって、本発明の範囲を決定すべきである。特許請求の範囲と同等の意味及び範囲に含まれる全ての変更及び変形は、本発明の範囲に包含されるべきである。
【図面の簡単な説明】
【００４２】
【図１Ａ】呼吸器用マスクの各側部に２つのフィルタカートリッジを装着できる本発明による濾過式呼吸用保護マスクの一実施の形態を示す正面図
【図１Ｂ】図１Ａの呼吸器用マスクを使用者が着用した状態を示す側面断面図
【図１Ｃ】図１Ａの呼吸器用マスクを示す分解斜視図
【図２Ａ】呼吸器用マスクの中心に単一のフィルタカートリッジを装着した本発明による呼吸器用マスクの一実施の形態を示す正面図
【図２Ｂ】図２Ａの呼吸器用マスクを使用者が着用した状態を示す側面断面図
【図２Ｃ】図２Ａの呼吸器用マスクを示す分解斜視図
【図３Ａ】本発明による差込ソケット式連結構造部を示す正面図
【図３Ｂ】図３Ａの差込ソケット式連結構造部を示す側部断面図
【図３Ｃ】図１Ａの呼吸器用マスクのレンズに連結される図３Ａの差込ソケット式連結構造部を示す側面断面図
【図４Ａ】本発明による呼吸器用マスクの鼻カップの実施の形態を示す側面断面図
【図４Ｂ】図４Ａの鼻カップの反対側を示す断面図
【図４Ｃ】図４Ａの鼻カップを示す正面図
【図４Ｄ】図４Ａの鼻カップを示す背面図
【図５Ａ】図１Ａの呼吸器用マスクの構成ハウジングを示す正面図
【図５Ｂ】図５Ａの構成ハウジングを示す側面断面図
【図６Ａ】図２Ａの呼吸器用マスクの構成ハウジングを示す正面図
【図６Ｂ】図６Ａの構成ハウジングを示す側面断面図
【図７Ａ】図１Ａの呼吸器用マスクのレンズを示す正面図
【図７Ｂ】図７Ａのレンズを示す側面図
【図７Ｃ】レンズ部を断面図により示す図７Ａのレンズの上面斜視図
【図７Ｄ】図７Ａのレンズを示す平面図
【図８】図２Ａの呼吸器用マスクのレンズを示す正面図
【図９Ａ】ベルト部を除去した図１Ａの呼吸器用マスクを示す正面図
【図９Ｂ】ベルト部を除去した図１Ａの呼吸器用マスクを示す側面図
【図９Ｃ】ベルト部を除去した図１Ａの呼吸器用マスクを示す背面図
【図９Ｄ】ベルト部を除去した図１Ａの呼吸器用マスクを示す底面図
【図９Ｅ】ベルト部を除去した図１Ａの呼吸器用マスクを示す平面図
【符号の説明】
【００４３】
(10,10')・・呼吸器用面体、  (50,50')・・レンズ、  (100)・・開口、  (110,274')・・吸気口、  (120)・・前方延伸壁部、  (130)・・前面、  (200,200')・・呼吸器用構成ハウジング、  (210)・・溝、  (220)・・密封体、  (230)・・保持具、  (240,250,250',260,260')・・フランジ、  (270,270',400)・・呼気口、  (280)・・逆止弁、  (400)・・フィルタ要素連結部、  (410)・・可撓性タブ、  (420)・・後部フランジ、  (440a,440b,440c)・・フランジ、  (480,480')・・逆止弁、  (500)・・鼻カップ、  (530)・・偏向体、  (540)・・開口部、  (550)・・吸気通路、  (800)・・フィルタ要素、
【図１Ａ】
2005514963.tif 000003
【図１Ｂ】
2005514963.tif 000004
【図１Ｃ】
2005514963.tif 000005
【図２Ａ】
2005514963.tif 000006
【図２Ｂ】
2005514963.tif 000007
【図２Ｃ】
2005514963.tif 000008
【図３Ａ】
2005514963.tif 000009
【図３Ｂ】
2005514963.tif 000010
【図３Ｃ】
2005514963.tif 000011
【図４Ａ】
2005514963.tif 000012
【図４Ｂ】
2005514963.tif 000013
【図４Ｃ】
2005514963.tif 000014
【図４Ｄ】
2005514963.tif 000015
【図５Ａ】
2005514963.tif 000016
【図５Ｂ】
2005514963.tif 000017
【図６Ａ】
2005514963.tif 000018
【図６Ｂ】
2005514963.tif 000019
【図７Ａ】
2005514963.tif 000020
【図７Ｂ】
2005514963.tif 000021
【図７Ｃ】
2005514963.tif 000022
【図７Ｄ】
2005514963.tif 000023
【図８】
2005514963.tif 000024
【図９Ａ】
2005514963.tif 000025
【図９Ｂ】
2005514963.tif 000026
【図９Ｃ】
2005514963.tif 000027
【図９Ｄ】
2005514963.tif 000028
【図９Ｅ】
2005514963.tif 000029
【国際調査報告】
2005514963.tif 000030
2005514963.tif 000031
2005514963.tif 000032
2005514963.tif 000033